(57)【要約】【課題】指示部の移動を滑らかに見せることができる表示装置を提供する。【解決手段】表示装置１０は、指示部の一例である指針画像を含む画像を表示する表示部の一例である液晶パネル２０と、液晶パネル２０を制御し、画像内で指針画像を移動させ、指針画像の移動速度が閾値以上のときには指針画像のぶれを表現するブラー演出を行う制御部５５と、を備える。制御部５５は、指針画像を上下方向に移動させるときには、指針画像を左右方向に移動させるときよりもブラー演出を強める。【選択図】図２
2020153846.tif 000002
【特許請求の範囲】
【請求項１】
指示部を含む画像を表示する表示部と、
前記表示部を制御し、前記画像内で前記指示部を移動させ、前記指示部の移動速度が閾値以上のときには前記指示部のぶれを表現するブラー演出を行う制御部と、を備え、
前記制御部は、前記指示部を上下方向に移動させるときには、前記指示部を左右方向に移動させるときよりも前記ブラー演出を強める、
表示装置。
【請求項２】
前記制御部は、前記指示部を前記上下方向に移動させるときには、前記指示部を前記左右方向に移動させるときよりも前記閾値を小さくすることにより前記ブラー演出を強める、
請求項１に記載の表示装置。
【請求項３】
前記制御部は、前記指示部に対してブラー画像を表示することにより前記ブラー演出を行い、前記指示部を前記上下方向に移動させるときには、前記指示部を前記左右方向に移動させるときよりも背景画像に対してコントラストが向上するように前記ブラー画像の輝度を調整することにより前記ブラー演出を強める、
請求項１又は２に記載の表示装置。
【請求項４】
前記制御部は、前記指示部である指針画像の移動速度が前記閾値である第１閾値以上であるとき、前記指針画像を含む領域に第１ブラー指針画像を表示することにより前記ブラー演出を行い、前記指針画像が前記第１閾値より大きい第２閾値以上であるとき、前記指針画像の移動方向と反対側に第２ブラー指針画像を表示することにより前記ブラー演出を行う、
請求項１から３の何れか１項に記載の表示装置。
【発明の詳細な説明】
【技術分野】
【０００１】
本発明は、表示装置に関する。
【背景技術】
【０００２】
従来、ディスプレイに画像として指針と文字盤を表示する表示装置が知られている。例えば、特許文献１に記載のグラフィックメータ表示装置では、指針の回動速度が閾値以上のときは、指針の回動側と反対側にモーションブラー指針画像が表示される。
【先行技術文献】
【特許文献】
【０００３】
【特許文献１】特開２００８−８６３７号公報
【発明の概要】
【発明が解決しようとする課題】
【０００４】
上記特許文献１の構成では、指針の位置に関係なく、指針の回動速度が閾値以上のときにはモーションブラー指針画像が表示される。しかしながら、発明者は、上記の手法で指針の動きを表示すると、指針の移動が滑らかに見えづらい問題点を見出した。
【０００５】
本発明は、上記実状を鑑みてなされたものであり、指示部の移動を滑らかに見せることができる表示装置を提供することを目的とする。
【課題を解決するための手段】
【０００６】
上記目的を達成するため、本発明に係る表示装置は、指示部を含む画像を表示する表示部と、前記表示部を制御し、前記画像内で前記指示部を移動させ、前記指示部の移動速度が閾値以上のときには前記指示部のぶれを表現するブラー演出を行う制御部と、を備え、前記制御部は、前記指示部を上下方向に移動させるときには、前記指示部を左右方向に移動させるときよりも前記ブラー演出を強める。
【発明の効果】
【０００７】
本発明によれば、表示装置において、指示部の移動を滑らかに見せることができる。
【図面の簡単な説明】
【０００８】
【図１】本発明の一実施形態に係る液晶パネルに表示される画像の正面図である。
【図２】本発明の一実施形態に係る表示装置のブロック図である。
【図３】図１の範囲Ａの拡大図である。
【図４】本発明の一実施形態に係る（ａ），（ｂ）はブラー指針画像を示す拡大図である。
【図５】本発明の一実施形態に係る指針画像とブラー指針画像を示す概略図である。
【図６】本発明の一実施形態に係る左右領域と上下領域を示す概略図である。
【図７】本発明の一実施形態に係る制御部の表示処理のフローチャートである。
【図８】本発明の一実施形態に係る（ａ）は指針画像が左右領域にあるときの閾値を示すグラフであり、（ｂ）は指針画像が上下領域にあるときの閾値を示すグラフである。
【発明を実施するための形態】
【０００９】
本発明に係る表示装置の一実施形態について、図面を参照して説明する。図１に示すように、表示装置１０は、画像により車速を示す指針計を表示するグラフィックメータ表示装置である。
【００１０】
図２に示すように、表示装置１０は、表示装置１０の全体を制御する制御部５５と、液晶パネル２０と、液晶パネル２０を照明する光源３０と、を備える。制御部５５は、マイコン（マイクロコンピュータ）５０と、マイコン５０による制御のもと液晶パネル２０に画像を描画するＧＤＣ（Graphic Display Controller）４０と、を備える。
【００１１】
ＧＤＣ４０は、マイコン５０による制御のもと、液晶パネル２０に画像を描画する。液晶パネル２０は、ＴＦＴ（Thin Film Transistor）型の液晶パネルであり、ＧＤＣ４０による制御のもと、画素毎に光透過率を調整する。
光源３０は、ＬＥＤ（Light Emitting Diode）により構成され、マイコン５０による制御のもと、液晶パネル２０に白色光を照射する。
マイコン５０は、予め定められたプログラムに従って各種の制御を行うＣＰＵ５１と、ＣＰＵ５１が実行するプログラム等を格納したＲＯＭ５２と、各種データを格納するとともに、ＣＰＵ５１の処理作業に必要なワーキングエリアを有するＲＡＭ５３と、を備える。
ＲＯＭ５２には、例えばメータ用の文字板を示す静止画像データと、この文字板上を回動する指針を示す指針画像データと、指針に対してブラー演出を行うためのブラー演出画像データと、各種の閾値ＴＬ１，ＴＬ２，ＴＨ１，ＴＨ２が記憶されている。
マイコン５０は、外部から車速等を含む車両情報を取得し、ＧＤＣ４０を介して液晶パネル２０に車両情報を含む画像を表示する。
【００１２】
マイコン５０は、ＧＤＣ４０を介して、静止画像データとして、図１に示すように、背景画像Ｉｂを表示する。背景画像Ｉｂにおいては、数字及び目盛に対応する部位は光を透過することにより白色で表示され、当該部位以外の背景は光を透過させないことにより黒色で表示される。
【００１３】
マイコン５０は、ＧＤＣ４０を介して、指針画像データとして、図３に示すように、指針画像Ｉａを表示する。指針画像Ｉａは、白色の棒状に形成され、背景画像Ｉｂの数値と目盛に対して指針画像Ｉａの下端部を中心に回動する。指針画像Ｉａは、指針画像Ｉａの全域にわたって同一の光透過率に設定される。マイコン５０は、所定の周期（例えば１／６０秒）毎に、外部から車速を含む車両情報を取得し、指針画像Ｉａの位置を更新する。これにより、指針画像Ｉａは車速に応じて回動する。
【００１４】
マイコン５０は、ＧＤＣ４０を介して、ブラー演出画像データとして、図３、図４（ａ），（ｂ）及び図５に示すように、指針画像Ｉａのぶれを表現するブラー指針画像Ｉ１，Ｉ２を表示する。ブラー指針画像Ｉ１，Ｉ２の光透過率の平均は、指針画像Ｉａよりも小さく設定される。
ブラー指針画像Ｉ２は、指針画像Ｉａに対して回動側と反対側に位置し、グラデーションが付けられた白色の棒状に形成される。ブラー指針画像Ｉ２は、指針画像Ｉａが高速で回転しているときに指針画像Ｉａの残像を表現するためのものである。例えば、指針画像Ｉａが時計回りに回転しているときにはブラー指針画像Ｉ２は指針画像Ｉａの反時計回りの位置に表示され、指針画像Ｉａが反時計回りに回転しているときにはブラー指針画像Ｉ２は指針画像Ｉａの時計回りの位置に表示される。ブラー指針画像Ｉ２は、指針画像Ｉａの移動軌跡を表現するため、指針画像Ｉａの速度及び加速度に合わせて指針画像Ｉａに対する表示位置が設定される。
ブラー指針画像Ｉ２は、図４（ｂ）に示すように、ブラー指針画像Ｉ２の回動方向において中心から外側に向かうにつれて光透過率が低下するように、かつ、回動方向に直交する径方向内側に向かうにつれて光透過率が低下するようにグラデーションが設定される。ブラー指針画像Ｉ２の回動方向（図４の左右方向）の幅は、径方向内側（図４の下方向）に向かうにつれて小さくなるように形成される。
【００１５】
図３、図４（ａ）及び図５に示すように、ブラー指針画像Ｉ１は、指針画像Ｉａを含むように白色の棒状に形成される。ブラー指針画像Ｉ１は、指針画像Ｉａが中速又は高速で回転しているときに指針画像Ｉａの残像を表現するためのものである。ブラー指針画像Ｉ１と指針画像Ｉａが重なり合う領域においては、ブラー指針画像Ｉ１と指針画像Ｉａのそれぞれの光透過率が足し合わされてもよいし、指針画像Ｉａの光透過率が優先されてもよい。
ブラー指針画像Ｉ１は、図４（ａ）に示すように、指針画像Ｉａの回動方向において中心から外側に向かうにつれて光透過率が低下するように、かつ、径方向内側に向かうにつれて光透過率が低下するようにグラデーションが設定される。ブラー指針画像Ｉ１の回動方向（図４の左右方向）の幅は、径方向内側（図４の下方向）に向かうにつれて小さくなるように形成される。ブラー指針画像Ｉ１により、指針画像Ｉａの周囲にはグラデーションが付けられる。
【００１６】
マイコン５０は、指針画像Ｉａの回動速度が低速領域にあるときには指針画像Ｉａを表示し、ブラー指針画像Ｉ１，Ｉ２を表示しない。また、マイコン５０は、指針画像Ｉａの回動速度が中速領域にあるときには指針画像Ｉａとブラー指針画像Ｉ１を表示する。さらに、マイコン５０は、指針画像Ｉａの回動速度が高速領域にあるときには指針画像Ｉａとブラー指針画像Ｉ１，Ｉ２を表示する。
【００１７】
マイコン５０は、図６に示すように、指針画像Ｉａが左右領域Ａｒ１と上下領域Ａｒ２の何れに位置しているかを判定する。左右領域Ａｒ１及び上下領域Ａｒ２は指針画像Ｉａの回動方向に沿って交互に２つずつ設定される。左右領域Ａｒ１は車両高さ方向に延びる中心軸ＩＨを中心に９０°の範囲に設定され、上下領域Ａｒ２は車両幅方向に延びる中心軸ＩＷを中心に９０°の範囲に設定される。
マイコン５０は、指針画像Ｉａが左右領域Ａｒ１に位置している旨判定したときには、図８（ａ）に示すように、閾値ＴＬ１，ＴＨ１を利用して、指針画像Ｉａの回動速度が低速領域、中速領域及び高速領域の何れに存在するかを判定する。一方、マイコン５０は、指針画像Ｉａが上下領域Ａｒ２に位置している旨判定したときには、図８（ｂ）に示すように、閾値ＴＬ２，ＴＨ２を利用して、指針画像Ｉａの回動速度が低速領域、中速領域及び高速領域の何れに存在するかを判定する。閾値ＴＬ２，ＴＨ２は、閾値ＴＬ１，ＴＨ１よりも小さい値に設定されている。よって、指針画像Ｉａが上下領域Ａｒ２に存在している場合、指針画像Ｉａが左右領域Ａｒ１に存在している場合に比べて、早いタイミングでブラー指針画像Ｉ１，Ｉ２が表示されることにより、ブラー演出が強められる。
【００１８】
図７のフローチャートを参照しつつ、マイコン５０により実行される表示処理について説明する。この表示処理は繰り返し実行される。
マイコン５０は、指針画像Ｉａが左右領域Ａｒ１に存在するか否かを判定する（ステップＳ１０１）。マイコン５０は、指針画像Ｉａが左右領域Ａｒ１に存在する旨判定すると（ステップＳ１０１；ＹＥＳ）、閾値ＴＬ１，ＴＬ２，ＴＨ１，ＴＨ２のうち閾値ＴＬ１，ＴＨ１を選択する（ステップＳ１０２）。一方、マイコン５０は、指針画像Ｉａが左右領域Ａｒ１に存在しない旨、すなわち、指針画像Ｉａが上下領域Ａｒ２に存在する旨判定すると（ステップＳ１０１；ＮＯ）、閾値ＴＬ１，ＴＬ２，ＴＨ１，ＴＨ２のうち閾値ＴＬ２，ＴＨ２を選択する（ステップＳ１０３）。
【００１９】
次に、マイコン５０は、指針画像Ｉａの回動速度が上記ステップＳ１０２，Ｓ１０３において選択された閾値ＴＬ１，ＴＬ２以上であるか否かを判定する（ステップＳ１０４）。閾値ＴＬ１，ＴＬ２は、例えば、２０〜３０deg/secに設定される。マイコン５０は、指針画像Ｉａの回動速度が選択された閾値ＴＬ１，ＴＬ２未満である旨判定したとき（ステップＳ１０４；ＮＯ）、指針画像Ｉａの回動速度が低速領域であるとして、指針画像Ｉａのみを表示し、ブラー指針画像Ｉ１，Ｉ２を表示しない（ステップＳ１０５）。
【００２０】
一方、マイコン５０は、指針画像Ｉａの回動速度が選択された閾値ＴＬ１，ＴＬ２以上である旨判定したとき（ステップＳ１０４；ＹＥＳ）、指針画像Ｉａの回動速度が選択された閾値ＴＨ１，ＴＨ２以上であるか否かを判定する（ステップＳ１０６）。閾値ＴＨ１，ＴＨ２は、例えば、４０〜５０deg/secに設定される。マイコン５０は、指針画像Ｉａの回動速度が選択された閾値ＴＨ１，ＴＨ２未満である旨判定したとき（ステップＳ１０６；ＮＯ）、指針画像Ｉａの回動速度が中速領域であるとして、指針画像Ｉａと１つのブラー指針画像Ｉ１を表示する（ステップＳ１０７）。
一方、マイコン５０は、指針画像Ｉａの回動速度が選択された閾値ＴＨ１，ＴＨ２以上である旨判定したとき（ステップＳ１０６；ＹＥＳ）、指針画像Ｉａの回動速度が高速領域であるとして、指針画像Ｉａと２つのブラー指針画像Ｉ１，Ｉ２を表示する（ステップＳ１０８）。２つのブラー指針画像Ｉ１，Ｉ２が表示されることにより、１つのブラー指針画像Ｉ１が表示される場合に比べて、ブラー演出が強められる。
以上で、表示処理の説明が終了となる。
【００２１】
次に、指針画像Ｉａが上下領域Ａｒ２において回動する際の作用について説明する。本例では、上下領域Ａｒ２において、指針画像Ｉａが原位置から目標位置に回動し、目標位置に到達する際の作用について説明する。
指針画像Ｉａが原位置から目標位置に向けて徐々に回動速度が上昇していく。図８（ｂ）に示すように、指針画像Ｉａの回動速度が閾値ＴＬ２未満にあるとき、指針画像Ｉａが表示され、ブラー指針画像Ｉ１，Ｉ２が表示されない。そして、指針画像Ｉａの回動速度が上昇し、指針画像Ｉａの回動速度が閾値ＴＬ２以上となったときに、ブラー指針画像Ｉ１が表示される。指針画像Ｉａが上下領域Ａｒ２に存在する場合には、指針画像Ｉａが左右領域Ａｒ１に存在する場合に比べて、早いタイミングでブラー指針画像Ｉ１が表示される。
さらに、指針画像Ｉａが目標位置に向けて指針画像Ｉａの回動速度が上昇し、指針画像Ｉａの回動速度が閾値ＴＨ２以上となったときに、ブラー指針画像Ｉ１を維持しつつブラー指針画像Ｉ２が表示される。よって、指針画像Ｉａが上下領域Ａｒ２に存在する場合には、指針画像Ｉａが左右領域Ａｒ１に存在する場合に比べて、早いタイミングでブラー指針画像Ｉ２が表示される。
【００２２】
そして、指針画像Ｉａが目標位置に近づくにつれて徐々に回動速度が減少し、指針画像Ｉａの回動速度が閾値ＴＨ２未満となったときに、ブラー指針画像Ｉ１を維持しつつブラー指針画像Ｉ２が消去される。よって、指針画像Ｉａが上下領域Ａｒ２に存在する場合には、指針画像Ｉａが左右領域Ａｒ１に存在する場合に比べて、早いタイミングでブラー指針画像Ｉ２が消去される。
さらに、指針画像Ｉａの回動速度が減少し、指針画像Ｉａの回動速度が閾値ＴＬ２未満となったときに、ブラー指針画像Ｉ１が消去される。よって、指針画像Ｉａが上下領域Ａｒ２に存在する場合には、指針画像Ｉａが左右領域Ａｒ１に存在する場合に比べて、早いタイミングでブラー指針画像Ｉ１が消去される。そして、ブラー指針画像Ｉ１，Ｉ２なしで指針画像Ｉａが目標位置に到達する。
【００２３】
（効果）
以上、説明した一実施形態によれば、以下の効果を奏する。
（１）表示装置１０は、指示部の一例である指針画像Ｉａを含む画像を表示する表示部の一例である液晶パネル２０と、液晶パネル２０を制御し、画像内で指針画像Ｉａを移動させ、指針画像Ｉａの移動速度が閾値ＴＬ１，ＴＬ２以上のときには指針画像Ｉａのぶれを表現するブラー演出を行う制御部５５と、を備える。制御部５５は、指針画像Ｉａを上下方向に移動させるときには、指針画像Ｉａを左右方向に移動させるときよりもブラー演出を強める。ブラー演出とは、移動する指針画像Ｉａに対してモーションブラーの画像効果を加えることを言う。また、ブラー演出を強めるとはモーションブラーを大きく又は早いタイミングで見せる、すなわち、指針画像Ｉａのぶれを視認者に対して強調することを言う。
人間の特性上、指針画像Ｉａの左右方向の移動に比べて、上下方向の移動に対する追従性が悪く、左右方向の移動と上下方向の移動で同一のブラー演出が行われた場合、上下方向の移動が滑らかに見えづらいという問題点があった。この点、上記構成では、ブラー演出は、指針画像Ｉａが上下方向に移動させるときに強められる。よって、指針画像Ｉａの移動を滑らかに見せることができ、上品で気品溢れる表現が可能となる。
【００２４】
（２）制御部５５は、指針画像Ｉａを上下方向に移動させるときには、指針画像Ｉａを左右方向に移動させるときよりも閾値ＴＬ１，ＴＬ２，ＴＨ１，ＴＨ２を小さくすることによりブラー演出を強める。
この構成によれば、例えば、指針画像Ｉａが停止した状態から徐々に回動速度が上昇すると、指針画像Ｉａが上下方向に移動する場合には、指針画像Ｉａが左右方向に移動する場合よりも早いタイミングでブラー演出が開始される。これにより、指針画像Ｉａが上下方向に移動する場合のブラー演出が強められる。よって、指針画像Ｉａの移動を滑らかに見せることができ、上品で気品溢れる表現が可能となる。
【００２５】
（３）制御部５５は、指示部である指針画像Ｉａの移動速度が第１閾値である閾値ＴＬ１，ＴＬ２以上であるとき、指針画像Ｉａを含む領域に第１ブラー指針画像の一例であるブラー指針画像Ｉ１を表示することによりブラー演出を行い、指針画像Ｉａが閾値ＴＬ１，ＴＬ２より大きい第２閾値である閾値ＴＨ１，ＴＨ２以上であるとき、ブラー指針画像Ｉ１に加えて、指針画像Ｉａの移動方向と反対側に第２ブラー指針画像の一例であるブラー指針画像Ｉ２を表示することによりブラー演出を行う。
ブラー指針画像Ｉ２によりブラー演出を行う場合、指針画像Ｉａの速度及び加速度に合わせて第２ブラー指針画像Ｉ２の位置を設定する必要があり、ブラー指針画像Ｉ１によりブラー演出を行う場合に比べて制御部５５の処理負担が大きくなる。上記構成によれば、指針画像Ｉａの移動速度が閾値ＴＬ１，ＴＬ２以上で、かつ閾値ＴＨ１，ＴＨ２未満である場合には、第２ブラー指針画像Ｉ２によりブラー演出が行われない。このため、制御部５５の処理負担を低減することができる。
【００２６】
なお、本発明は以上の実施形態及び図面によって限定されるものではない。本発明の要旨を変更しない範囲で、適宜、変更（構成要素の削除も含む）を加えることが可能である。以下に、変形の一例を説明する。
【００２７】
（変形例）
上記実施形態における左右領域Ａｒ１と上下領域Ａｒ２に加えて、図６に示すように、徐変領域Ａｒ３が設定されてもよい。徐変領域Ａｒ３は、左右領域Ａｒ１と上下領域Ａｒ２の境界を含むように設定される。徐変領域Ａｒ３においては、指針画像Ｉａが左右領域Ａｒ１から上下領域Ａｒ２に近づくにつれて、閾値が徐々に小さくなるように、言い換えると、ブラー演出が強められるように設定されてもよい。
また、徐変領域Ａｒ３が設定されていない場合であっても、左右領域Ａｒ１内において上下領域Ａｒ２に近づくほど閾値が徐々に小さくなるように、すなわちブラー演出が強められるように設定され、上下領域Ａｒ２内において左右領域Ａｒ１に近づくほど閾値が徐々に高くなるように、すなわちブラー演出が弱められるように設定されてもよい。この場合、指針画像Ｉａの位置毎に閾値が設定される。
【００２８】
上記実施形態においては、閾値ＴＬ２は閾値ＴＬ１よりも小さく、かつ閾値ＴＨ２は閾値ＴＨ１よりも小さく設定されていた。しかし、これに限らず、閾値ＴＬ２が閾値ＴＬ１よりも小さく設定されていれば、閾値ＴＨ２が閾値ＴＨ１と同一値に設定されてもよく、反対に、閾値ＴＨ２が閾値ＴＨ１よりも小さく設定されていれば、閾値ＴＬ２が閾値ＴＬ１と同一値に設定されてもよい。
【００２９】
上記実施形態においては、マイコン５０は、指針画像Ｉａが上下領域Ａｒ２に存在する場合の閾値ＴＬ２，ＴＨ２を、指針画像Ｉａが左右領域Ａｒ１に存在する場合の閾値ＴＬ１，ＴＨ１に比べて小さく設定することにより、ブラー演出を強めていたが、ブラー演出を強める手法はこれに限定されない。例えば、閾値ＴＬ２，ＴＨ２を小さく設定する手法に加えて又は代えて、マイコン５０は、指針画像Ｉａが上下領域Ａｒ２に存在する場合、指針画像Ｉａが左右領域Ａｒ１に存在する場合よりも、ブラー指針画像Ｉ１，Ｉ２の輝度を高めることによりブラー演出を強めてもよい。例えば、液晶パネル２０の光透過率又は光源３０の出力を上昇させることにより、ブラー指針画像Ｉ１，Ｉ２の輝度を高めることができる。また、背景画像Ｉｂが低明度の黒の場合は、ブラー指針画像Ｉ１，Ｉ２を高明度な白に近づけることでコントラストを向上し、ブラー演出を強めてもよい。
【００３０】
上記実施形態においては、表示装置１０は画像により車速を示す指針計を表示していたが、車速に限らず、エンジン回転数や残燃料を示す指針計であってもよい。また、１つの画像に複数種類の指針計が表示されていてもよい。さらに、指針計に限らず、ユーザの操作に応じて指示部の一例であるポインタが画面上を移動する表示装置であってもよい。この場合、ポインタの移動速度に応じてブラー指針画像Ｉ１，Ｉ２と同様のブラー画像が表示され、ポインタが上下方向に移動するときには、ポインタが左右方向に移動するときよりもブラー演出が強められる。
【００３１】
上記実施形態において、制御部５５は、図示しない運転者の視線方向を検出する視線検出部の検出結果に基づき、ブラー演出の有無を切り替えてもよい。制御部５５は、視線検出部を通じて運転者の視線方向が液晶パネル２０を向いている旨判定するとブラー演出を行い、視線検出部を通じて運転者の視線方向が液晶パネル２０を向いていない旨判定するとブラー演出を行わない。これにより、運転者が液晶パネル２０を視認していない状態での無駄なブラー演出の回数を減らすことができ、制御部５５の処理負担を減らすことができる。
【００３２】
上記実施形態においては、２つのブラー指針画像Ｉ１，Ｉ２のうち何れか一方が省略されてもよい。この場合、閾値ＴＬ１，ＴＬ２又は閾値ＴＨ１，ＴＨ２が省略されてもよい。
【００３３】
上記実施形態においては、表示部は液晶パネル２０であったが、液晶パネル２０に限らず、有機ＥＬディスプレイ（ＯＥＬＤ：Organic Electro-Luminescence Display）であってもよい。
【符号の説明】
【００３４】
１０  表示装置
２０  液晶パネル
３０  光源
４０  ＧＤＣ
５０  マイコン
５１  ＣＰＵ
５２  ＲＯＭ
５３  ＲＡＭ
５５  制御部
Ａｒ１  左右領域
Ａｒ２  上下領域
Ａｒ３  徐変領域
Ｉ１，Ｉ２  ブラー指針画像
Ｉａ  指針画像
Ｉｂ  背景画像
ＴＨ１，ＴＨ２，ＴＬ１，ＴＬ２  閾値
【図１】
2020153846.tif 000003
【図２】
2020153846.tif 000004
【図３】
2020153846.tif 000005
【図４】
2020153846.tif 000006
【図５】
2020153846.tif 000007
【図６】
2020153846.tif 000008
【図７】
2020153846.tif 000009
【図８】
2020153846.tif 000010